(57)【特許請求の範囲】
【請求項１】
都心部から離れた場所に設置したアスファルトプラントよりアスファルト合材を運搬して景観を損なわないように都心部近郊の地面を所定の深さ掘り下げて形成した地下収納部にサイロ本体を配設して、このサイロ本体の天井部にアスファルト合材を受け入れる投入口を開閉可能に取付け、
サイロ本体の上部にアスファルト合材の受け入れや積み込みのための運搬車を進入可能な床面を形成して、この床面に開口部を設けて上記投入口を介してサイロ本体にアスファルト合材を投入して地下に配設したサイロ本体に貯蔵するとともに、
サイロ本体の合材計量槽の下部からサイロ本体の側部に沿って走行レールを立ち上げて地上に突き出させて車輛積み込み位置まで延長してアスファルト合材を搬出する搬出用ホッパをこの走行レールに沿って往復昇降自在に配設し、
郊外から運搬車で運搬してきたアスファルト合材を直接的に地下のサイロ本体に投入して貯蔵し、払い出しにあってはアスファルト合材の出荷要請に応じて地下のサイロ本体から搬出用ホッパでアスファルト合材をサイロ本体の上部の地上に搬送して運搬車に積み込んで都心部の施工現場へ出荷することを特徴とするアスファルト合材の貯蔵払い出し方法。
【請求項２】
車両積み込み位置を地下に配設したサイロ本体の上方の地上面とし、合材搬送装置の走行レールを地下に配設したサイロ本体の側部に沿って垂直状に立ち上げて上方の車両積み込み位置まで水平方向に湾曲させて延長し、サイロ本体の天井部の投入口を介して地下に配設したサイロ本体にアスファルト合材を投入してサイロ本体に貯蔵するとともに、サイロ本体の合材計量槽の下部からサイロ本体の側部に沿った走行レールを介して搬出用ホッパでアスファルト合材をサイロ本体の上方でアスファルト合材を待機する運搬車に積み込む請求項１に記載のアスファルト合材の貯蔵払い出し方法。
【請求項３】
都心部から離れた場所のアスファルトプラントより運搬されるアスファルト合材を受け入れて貯蔵するためのサイロ本体を景観を損なわないように都心部近郊の地面を所定の深さ掘り下げて形成した地下収納部に配設して、このサイロ本体の天井部にアスファルト合材を受け入れる投入口を開閉可能に取付け、
サイロ本体の上部にアスファルト合材の受け入れや積み込みのための運搬車を進入可能な床面を形成してこの床面に開口部を設けて上記投入口を介してサイロ本体にアスファルト合材を投入して地下に配設したサイロ本体に貯蔵するように形成するとともに、
サイロ本体の合材計量槽の下部からサイロ本体の側部に沿って走行レールを立ち上げて地上に突き出させて車輛積み込み位置まで延長してアスファルト合材を搬出する搬出用ホッパをこの走行レールに沿って往復昇降自在に配設し、サイロ本体の上方でアスファルト合材を待機する運搬車に積み込むように形成したことを特徴とするアスファルト合材販売用サイロ。
【請求項４】
地上の車両積み込み位置をサイロ本体の上方の地上面とし、合材搬送装置として搬出用ホッパを案内走行させる走行レールをサイロ本体の下方の払出部より地上部まで垂直状に立ち上げるとともに、水平方向に湾曲させてサイロ本体上方の車両積み込み位置まで延長し、この走行レールの端部に配設したウインチの稼働によって搬出用ホッパをサイロ本体の払出部と地上の車両積み込み位置間を往復走行させるように配設した請求項３に記載のアスファルト合材販売用サイロ。
【発明の詳細な説明】
【０００１】
【発明の属する技術分野】
本発明は、郊外に設置のアスファルトプラントで製造したアスファルト合材の供給を都心部近郊で受けて、都心部近郊にてアスファルト合材の販売を行えるアスファルト合材の貯蔵払い出し方法および販売用サイロに関する。
【０００２】
【従来の技術】
アスファルト合材を製造するアスファルトプラントは、骨材加熱用バーナや排風機等の高音源となる装置を多数有しているためにその設置場所に制約を受け、都心部近郊の騒音規制の厳しい地域においては設置がなかなか難しいという問題があった。
【０００３】
そこで、郊外のアスファルトプラントで製造したアスファルト合材を多量に貯蔵するアスファルト合材販売用サイロを都心部近郊に設置し、都心部より離れた場所にあるアスファルトプラントから都心部近郊のアスファルト合材販売用サイロにアスファルト合材を供給して、このサイロを販売拠点として都心部にアスファルト合材を供給する方法が行われることがある。
【０００４】
【発明が解決しようとする課題】
しかしながら、最近では都心部での騒音や景観に対する規制等が更に厳しくなる傾向にあり、従来のアスファルト合材販売用サイロも騒音対策に配慮したものとなっているものの、合材搬送装置としてスキップエレベータを採用しているために騒音が皆無とは言えず、更なる騒音対策が要望されている。
【０００５】
また、都心部では市外地と違って広い設置スペースを確保することも難しく、装置の省スペース化も要望されている。
【０００６】
【課題を解決するための手段】
本発明は、上記のような点に鑑みたもので、上記の課題を解決するために、都心部から離れた場所に設置したアスファルトプラントよりアスファルト合材を運搬して景観を損なわないように都心部近郊の地面を所定の深さ掘り下げて形成した地下収納部にサイロ本体を配設して、このサイロ本体の天井部にアスファルト合材を受け入れる投入口を開閉可能に取付け、サイロ本体の上部にアスファルト合材の受け入れや積み込みのための運搬車を進入可能な床面を形成して、この床面に開口部を設けて上記投入口を介してサイロ本体にアスファルト合材を投入して地下に配設したサイロ本体に貯蔵するとともに、サイロ本体の合材計量槽の下部からサイロ本体の側部に沿って走行レールを立ち上げて地上に突き出させて車輛積み込み位置まで延長してアスファルト合材を搬出する搬出用ホッパをこの走行レールに沿って往復昇降自在に配設し、郊外から運搬車で運搬してきたアスファルト合材を直接的に地下のサイロ本体に投入して貯蔵し、払い出しにあってはアスファルト合材の出荷要請に応じて地下のサイロ本体から搬出用ホッパでアスファルト合材をサイロ本体の上部の地上に搬送して運搬車に積み込んで都心部の施工現場へ出荷することを特徴とするアスファルト合材の貯蔵払い出し方法および販売用サイロを提供するにある。
【０００７】
【発明の実施の形態】
本発明のアスファルト合材の貯蔵払い出し方法および販売用サイロは、都心部から離れた場所に設置したアスファルトプラントよりアスファルト合材を運搬して景観を損なわないように都心部近郊の地面を所定の深さ掘り下げて形成した地下収納部にサイロ本体を配設して、このサイロ本体の天井部にアスファルト合材を受け入れる投入口を開閉可能に取付け、サイロ本体の上部にアスファルト合材の受け入れや積み込みのための運搬車を進入可能な床面を形成して、この床面に開口部を設けて上記投入口を介してサイロ本体にアスファルト合材を投入して地下に配設したサイロ本体に貯蔵するとともに、サイロ本体の合材計量槽の下部からサイロ本体の側部に沿って走行レールを立ち上げて地上に突き出させて車輛積み込み位置まで延長してアスファルト合材を搬出する搬出用ホッパをこの走行レールに沿って往復昇降自在に配設し、郊外から運搬車で運搬してきたアスファルト合材を直接的に地下のサイロ本体に投入して貯蔵し、払い出しにあってはアスファルト合材の出荷要請に応じて地下のサイロ本体から搬出用ホッパでアスファルト合材をサイロ本体の上部の地上に搬送して運搬車に積み込んで都心部の施工現場へ出荷することを特徴としている。
【０００８】
アスファルト合材販売用サイロは、都心部近郊の運搬に都合のよい場所に景観を害しないようにサイロ本体を地下に収納し、製造基地のアスファルトプラントより運搬されるアスファルト合材を上記サイロ本体の天井部の投入口からに受け入れて貯蔵するようにしている。
【０００９】
そして、アスファルト合材の出荷要請があると、上記した都心部近郊に設置した地下のサイロ本体から所望量払い出し、合材運搬装置で地上に搬送し、地上の車両積み込み位置に待機する運搬車に積み込んで都心部の施工現場へと供給するようにしているものである。
【００１０】
特に、車両積み込み位置をサイロ本体の上方の地上面とし、合材搬送装置の搬出用ホッパを案内走行させる走行レールをサイロ本体の下方の払出部より地上部まで垂直状に立ち上げるとともに、水平方向に湾曲させてサイロ本体上方の車両積み込み位置まで延長してサイロ本体上方に位置させるのが、装置の省スペース化を図ることができて好ましい。
【００１１】
このように、アスファルト合材販売用サイロのサイロ本体を地下に収納することによって、景観上も好ましくなって都心部にも設置可能となり、合材搬送装置の大部分が地下に収納され、これによって騒音の低減化が図れる。
【００１２】
【実施例】
図１、図２は、本発明の実施例を示したものである。図１、図２のようにアスファルト合材販売用サイロ１は、都心部近郊の運搬に都合のよい場所に所定容量のサイロ本体２を地下に配設し、都心部より離れた場所に設置したアスファルトプラントを製造基地として供給されるアスファルト合材を一時貯蔵するようにしている。
【００１３】
上記アスファルト合材販売用サイロ１の貯蔵部であるサイロ本体２は、図１のように地面を所定の深さ掘り下げて形成した地下収納部３に複数基（図上二基）収納してあり、このサイロ本体２の天井部に投入口４を地上に臨ませて配設し、該投入口４には密閉式の開閉蓋５を開閉可能に取付けて、製造基地から供給されるアスファルト合材を容易に受け入れられるようにしている。
【００１４】
上記サイロ本体２は、その外周部にヒータ（図示せず）等の加熱手段を備えてアスファルト合材を所定温度に保持する加熱保温構造としてあり、また下部の排出ゲート６をカバー体７で覆いながら密封ゲート８により密封状態にし、外部よりの空気の侵入を防止する構造として品質の維持をはかるようにしている。
【００１５】
また、サイロ本体２の下部に図１のようにガイドレール９を配設し、該ガイドレール９には重量検出器であるロードセルを備えた合材計量槽１０を二基のサイロ本体２間に走行自在に配設している。
【００１６】
そしてまた、地上のサイロ本体２の上部には、アスファルト合材の受け入れや積み込みのために運搬車の進入が可能なように床面１１を形成し、該床面１１に開口部１２を設けて上記した投入口４を介してサイロ本体２にアスファルト合材を投入するようにし、また床面１１の上方部に車両へアスファルト合材を積み込むために所定の高さに架台１３を配設している。
【００１７】
上記開口部１２は、投入口４の開閉蓋５と連動させて開閉する開口部開閉ゲート５Ａを配設して開閉自在としている。
【００１８】
そしてまた、図１のように上記合材計量槽１０の下方部からサイロ本体２の側部に沿って走行レール１４を垂直に立ち上げて地上に突き出させ、地上部の走行レール１４を水平方向に湾曲させてサイロ本体２上方の車両積み込み位置まで延長させると共に、サイロ本体２の上部に配設した架台１３によって支持させている。
【００１９】
該走行レール１４には、アスファルト合材を搬出する所定容量の搬出用ホッパ１５を走行レール１４に沿って昇降自在に配設し、端部に配設したウインチ１６、１７等の稼働によるワイヤ１８、１８’の巻き上げ、繰り出しで搬出用ホッパ１５を合材搬送装置のスキップエレベータ１９で昇降させるようにしている。
【００２０】
そして、搬出用ホッパ１５を走行レール１４に沿って往復走行させ、地下の合材計量槽１０の下方部と地上の車両積み込み位置の所定位置に停止させて、アスファルト合材を搬送するようにしている。
【００２１】
なお、サイロ本体２の地上部に設けた架台１３の周囲を、図１の二点鎖線で示すように建屋２０で覆うようにすれば、騒音対策や美観上好ましくできるものである。
【００２２】
しかして、アスファルト合材販売用サイロ１によりアスファルト合材を出荷する場合には、製造基地のアスファルトプラントで製造したアスファルト合材を運搬車に積み込み、上記した都心部近郊のアスファルト合材販売用サイロ１に運ぶ。
【００２３】
アスファルト合材販売用サイロ１に運び込まれたアスファルト合材は、投入口４より投入され、地下収納部３に収納したサイロ本体２に地上の開口部１２を開口して所定温度にて貯蔵される。
【００２４】
アスファルト合材の出荷要請があると、サイロ本体２の排出ゲート６、密封ゲート８を開放し、合材計量槽１０にアスファルト合材を払い出して所定量計量し、待機させていた搬出用ホッパ１５にアスファルト合材を払い出す。
【００２５】
ウインチ１６を駆動して搬出用ホッパ１５を上昇させ、地上の車両積み込み位置に搬送し、アスファルト合材を待機する運搬車に積み込み、出荷要請のあった都心部の施工現場へと出荷する。
【００２６】
本発明では、走行レール１４の地上部分はほぼ水平とし地上の車両積み込み場所を複数か所（図上二か所）用意している。また、搬出用ホッパ１５を上昇させて地上の運搬車上部へと搬送するときには、ウインチ１６によりワイヤ１８を巻き上げると共に、ウインチ１７のワイヤ１８’を繰り出すようにして搬出用ホッパ１５を上昇させるようにしている。
【００２７】
そして、搬出用ホッパ１５を元の地下にもどす場合には、ウインチ１７のワイヤ１８’を巻き上げて搬出用ホッパ１５を引っ張るようにすると同時に、引上げ用のウインチ１６を駆動して搬出用ホッパ１５が落下しないように保持しながら元の位置に降下させるようにしている。
【００２８】
上記実施例では、合材搬送装置として搬出用ホッパを走行用レールに往復移動させるようにしたが、走行用レールをループ状に配設して搬出用ホッパやバケットを循環移動してアスファルト合材を搬出するなど、本発明の趣旨にもとづいて適宜に実施することができる。
【００２９】
【発明の効果】
以上のように本発明にあっては、都心部近郊の地下に配設したサイロ本体を介してアスファルト合材を都心部の施工現場に出荷できるとともに、都心部の景観も好ましくでき、アスファルト合材販売用サイロから発生する騒音の低減化も図ることができるものであり、都心部から離れたアスファルトプラントよりアスファルト合材を運搬してきた運搬車のアスファルト合材を地下に収納したサイロ本体の天井部の投入口を介して容易に受け入れて一時貯蔵することができる。
そして、地下のサイロ本体から合材搬送装置で搬出用ホッパを案内走行させて、地上の車両積み込み位置の運搬車に積み込むことによって、サイロ上位のスペースを有効に利用することができ、装置の省スペース化を図れ、騒音防止、景観を害しないように対応できて、都心部近郊でアスファルト合材の販売を行えるもので、都心部近郊での設置に適したものにできる。
【００３０】
そのため、アスファルト合材の出荷要請があると、上記した都心部近郊に設置した地下のサイロ本体から所望量払い出し、合材運搬装置で地上に搬送し、地上の車両積み込み位置に待機する運搬車に積み込んで都心部の施工現場へと供給することができる。
特に、車両積み込み位置をサイロ本体の上方の地上面とし、合材搬送装置の搬出用ホッパを案内走行させる走行レールをサイロ本体の下方の払出部より地上部まで垂直状に立ち上げるとともに、水平方向に湾曲させてサイロ本体上方の車両積み込み位置まで延長してサイロ本体上方に位置させているため、装置の省スペース化を図ることができて好ましいものである。
【図面の簡単な説明】
【図１】本発明のアスファルト合材販売用サイロの一実施例の縦断面図、
【図２】同上の平面図。
【符号の説明】
１…アスファルト合材販売用サイロ  ２…サイロ本体  ３…地下収納部
４…投入口                  ５…開閉蓋          １４…走行レール
１５…搬出用ホッパ    １６、１７…ウインチ        １９…合材搬送装置
【図１】
0003872554.tif 000002
【図２】
0003872554.tif 000003